(57)【要約】【課題】  画像をフェードイン、フェードアウトさせながら投影すること。【解決手段】  ＣＰＵ１０３ａは、使用者によって選択された画像を液晶駆動部２６に送って液晶パネル２２に表示するとともに、ＬＥＤ光源２１から光を照射する。このとき、ＬＥＤ駆動部２４は、画像表示中にＬＥＤ光源２１の駆動電力を制御して、ＬＥＤ光源２１の明るさを変化させることによって画像をフェードイン、フェードアウトさせる。【選択図】      図２
2006154017.tif 000002
【特許請求の範囲】
【請求項１】
画像形成手段で形成された画像を照射手段から照射される光で投射面に投射するプロジェクタ装置であって、
前記画像形成手段で形成された画像の表示中に前記照射手段から照射する光の明るさを変更する変更手段を備え、
前記変更手段は、画像の表示開始時には、前記照射手段から照射する光の明るさを暗くして、その後徐々に明るくするように変更する光変更処理、および画像の表示終了時には、前記照射手段から照射する光の明るさを徐々に暗くするように変更する光変更処理の少なくともいずれか一方を行うことを特徴とするプロジェクタ装置。
【請求項２】
請求項１に記載のプロジェクタ装置において、
前記照射手段は光源を含み、
前記変更手段は、前記光源の駆動電力を制御して、前記照射手段から照射する光の明るさを変更することを特徴とするプロジェクタ装置。
【請求項３】
請求項１または２に記載のプロジェクタ装置において、
前記照射手段は、固体発光素子であることを特徴とするプロジェクタ装置。
【請求項４】
請求項１〜３のいずれか一項に記載のプロジェクタ装置において、
前記画像形成手段は、複数枚の画像を所定時間間隔で連続して形成し、
前記変更手段は、各画像に対して前記光変更処理を行うことを特徴とするプロジェクタ装置。
【請求項５】
請求項１〜４のいずれか一項に記載のプロジェクタ装置において、
前記画像形成手段は、使用者の画像再生指示に従って自動的に画像の形成を開始し、
前記照射手段は光の照射を開始することを特徴とするプロジェクタ装置。
【請求項６】
請求項５に記載のプロジェクタ装置において、
前記使用者の画像再生指示は、スライドショーの開始指示であることを特徴とするプロジェクタ装置。
【請求項７】
請求項１〜６のいずれか一項に記載のプロジェクタ装置において、
前記画像形成手段は、画像の再生終了時に自動的に画像の形成を終了し、
前記照射手段は光の照射を終了することを特徴とするプロジェクタ装置。
【発明の詳細な説明】
【技術分野】
【０００１】
本発明は、携帯電話などの携帯端末に搭載され、画像を投射面に投射してその投射像を生成するプロジェクタ装置に関する。
【背景技術】
【０００２】
画像に対してフェードイン処理、フェードアウト処理といった画像処理を行って、画像再生時の視覚効果を得る画像処理装置が特許文献１によって知られている。
【０００３】
【特許文献１】特開２００１−２０４０４４号公報
【発明の開示】
【発明が解決しようとする課題】
【０００４】
しかしながら、従来の機器においては、画像をフェードイン、フェードアウトするために画像処理を行っていたため、ＣＰＵに大きな負荷がかかるという問題が生じていた。
【課題を解決するための手段】
【０００５】
請求項１の発明は、画像形成手段で形成された画像を照射手段から照射される光で投射面に投射するプロジェクタ装置であって、画像形成手段で形成された画像の表示中に照射手段から照射する光の明るさを変更する変更手段を備え、変更手段は、画像の表示開始時には、照射手段から照射する光の明るさを暗くして、その後徐々に明るくするように変更する光変更処理、および画像の表示終了時には、照射手段から照射する光の明るさを徐々に暗くするように変更する光変更処理の少なくともいずれか一方を行うことを特徴とする。
請求項２の発明は、請求項１に記載のプロジェクタ装置において、照射手段は光源を含み、変更手段は、光源の駆動電力を制御して、照射手段から照射する光の明るさを変更することを特徴とする。
請求項３の発明は、請求項１または２に記載のプロジェクタ装置において、照射手段は、固体発光素子であることを特徴とする。
請求項４の発明は、請求項１〜３のいずれか一項に記載のプロジェクタ装置において、画像形成手段は、複数枚の画像を所定時間間隔で連続して形成し、変更手段は、各画像に対して光変更処理を行うことを特徴とする。
請求項５の発明は、請求項１〜４のいずれか一項に記載のプロジェクタ装置において、画像形成手段は、使用者の画像再生指示に従って自動的に画像の形成を開始し、照射手段は光の照射を開始することを特徴とする。
請求項６の発明は、請求項５に記載のプロジェクタ装置において、使用者の画像再生指示は、スライドショーの開始指示であることを特徴とする。
請求項７の発明は、請求項１〜６のいずれか一項に記載のプロジェクタ装置において、画像形成手段は、画像の再生終了時に自動的に画像の形成を終了し、照射手段は光の照射を終了することを特徴とする。
【発明の効果】
【０００６】
本発明によれば、画像投影時に照射する光の明るさを変更することで、画像をフェードイン、フェードアウトの視覚効果を得ることができる。さらに画像処理を行う必要がなく、ＣＰＵにかかる負荷を低減することができる。
【発明を実施するための最良の形態】
【０００７】
図１は本実施の形態におけるプロジェクタ付き携帯電話機の外観図であり、図１（ａ）は側面図、図１（ｂ）は正面図である。図１（ａ）に示すように、携帯電話機１００は、折りたたみヒンジ部１０１によって表示部１０２と操作部１０３とが折りたたみ可能となっている。また、図１（ｂ）に示すように、表示部１０２の外側面には、画像を撮像するためのカメラ部１０２ａと、画像を投射面に投射してその投射像を生成するプロジェクタ部１０２ｂとを備えている。
【０００８】
図２は、本実施の形態におけるプロジェクタ付き携帯電話の一実施の形態を示すブロック図である。プロジェクタ付き携帯電話１００は、上述したように、折りたたみヒンジ部１０１、表示部１０２、および操作部１０３によって構成されている。折りたたみヒンジ部１０１は、使用者によって操作され、表示部１０２と操作部１０３との開閉角度を調節するための開閉角度ＳＷ１０１ａを備えている。
【０００９】
操作部１０３は、機器全体を制御するＣＰＵ１０３ａと、時間を計時する時計１０３ｂと、プロジェクタ付き携帯電話１００を駆動させるための電源１０３ｃと、周辺の基地局と通信するためのアンテナ１０３ｅを備えた通信制御部１０３ｄと、使用者が電話番号や文字を入力するための各種ボタンを備えた入力装置１０３ｆと、電話帳データなどの各種データを記憶するためのメモリ１０３ｇと、カメラ１０２ａで撮像した画像データを格納するためのメモリカード１０３ｈと、ＴＶ放送を受信するためのＴＶチューナー１０３ｉと、使用者の発話音声を入力するためのマイク１０３ｊと、外部機器と接続するためのインターフェースである外部Ｉ／Ｆ１０３ｋとを備えている。
【００１０】
表示部１０２は、カメラ１０２ａと、プロジェクタ装置１０２ｂと、カメラ１０２ａで撮像した画像や待ち受け画面などを表示する液晶モニタ１０２ｃと、使用者によってカメラ１０２ａによる画像撮像時に操作されるレリーズボタン１０２ｄと、通話相手の発話音声を出力するスピーカー１０２ｅとを備えている。カメラ１０２ａは、撮影レンズ１１と、ＣＣＤ１２と、レンズ駆動部１３と、カメラ制御装置１４とを備えている。
【００１１】
カメラ１０２ａにおいては、撮影レンズ１１はレンズ駆動部１３によって前後に駆動し、被写体に対してズームイン、ズームアウトを行うことができる。そして、撮影レンズ１１が被写体に向けられると、被写体の輝度に応じて設定された露出条件で撮影が行われ、撮像素子であるＣＣＤ１２には被写体像に対応した電荷が蓄積される。ＣＣＤ１２に蓄積された電荷は、ＣＰＵやその他周辺回路を含むカメラ制御装置１４によってＡ／Ｄ変換してデジタル信号に変換される。その後、ホワイトバランスの調整や、予め設定された画像形式、例えばＪＰＥＧ形式等への圧縮処理など種々の画像処理が施される。画像処理された画像データはメモリ１０３ｇに記憶され、同時に液晶モニタ１０２ｃに表示される。
【００１２】
上述した処理を例えば１秒間に３０フレームの画像を処理するように実行することで、液晶モニタ１０２ｃには被写体を撮像した画像が次々と更新されてスルー画が表示される。本実施の形態におけるプロジェクタ付き携帯電話１００では、カメラ１０２ａによる画像の撮像モードとして、動画撮影モードと静止画撮影モードとを選択可能に有している。使用者は操作部１０３に搭載された入力装置１０３ｆを使用して、いずれかの撮像モードを選択することができる。
【００１３】
使用者によって動画撮影モードが選択された場合には、上述したスルー画表示時に使用者によって任意のタイミングでレリーズボタン１０２ｄが押下されると、次にレリーズボタンが押下されるまでの間に撮像されたスルー画を動画として一旦メモリ１０４に保存する。その後、各種画像処理が施された後に操作部１０３に搭載されたメモリカード１０３ｈに保存する。一方、静止画撮影モードが選択された場合には、使用者によって任意のタイミングでレリーズボタン１０２ｄが押下された時点で液晶モニタ１０２ｃに表示されている画像が静止画として撮像される。撮像された画像は、一旦メモリ１０４に保存し、その後各種画像処理が施された後に操作部１０３に搭載されたメモリカード１０３ｈに保存する。
【００１４】
プロジェクタ装置１０２ｂは、ＬＥＤ光源２１と、画像を表示する液晶パネル２２と、ＬＥＤ光源２１からから照射され液晶パネル２２を透過した透過光をスクリーンに拡大投影（投射）可能な投影レンズ２３と、ＬＥＤ光源２１を発光させるために電流を供給するＬＥＤ駆動部２４と、液晶パネル２２を駆動する液晶駆動部２５と、投影した画像をフォーカシングするために投影レンズ２３を駆動するレンズ駆動部２６と、ＬＥＤ光源２１の設置位置近傍の温度を計測する温度センサ２７とを備えている。なお、ＬＥＤ駆動部２４、液晶駆動部２５、およびレンズ駆動部２６は、操作部１０３に搭載されたＣＰＵ１０３ａによって制御される。
【００１５】
ＬＥＤ光源２１には大電流駆動可能な高輝度タイプ白色ＬＥＤを用いる。すなわち、通常のＬＥＤでは発光部が０．３ｍｍ×０．３ｍｍ程度のサイズで２０ｍＡ程度の電流を流して発光させていたが、本実施の形態におけるプロジェクタ装置１０２ｂで使用する大電流タイプのものは発光部が１ｍｍ×１ｍｍ程度の大面積で、２００ｍＡ〜３５０ｍＡといった大電流を流して発光させる。これにより、通常のＬＥＤと比べて１０倍近い光量が得られる。
【００１６】
ＬＥＤ駆動部２４は、ＰＷＭ駆動によってＬＥＤ光源２１の駆動電力を制御し、デューティ比を変更することでＬＥＤ光源２１の発光輝度を変更することができる。例えば、図３（ａ）に示すようにデューティ比を５０％とした場合と、図３（ｂ）に示すようにデューティ比を２０％とした場合を比較すると、デューティ比を５０％とした場合の方がＬＥＤ光源２１から照射される光は明るくなる。
【００１７】
なお、本実施の形態では、上述したデューティ比が５０％の状態を「明るい状態」と定義し、デューティ比が２０％の状態を「暗い状態」と定義する。そしてＬＥＤ駆動部２４は、デューティ比は連続的に変更することができ、ＬＥＤ光源２１の明るさを「明るい状態」から「暗い状態」まで連続に変化させることができる。これによって、画像の明るさを変化させるために、単純にデューティ比を変化させるだけでよく、画像データに輝度変調をかける処理が不要となるため、ＣＰＵ１０３ａの負荷を低減することができる。
【００１８】
液晶駆動部２５は、ＣＰＵ１０３ａから送信されてくる再生対象の画像データに応じて液晶パネル駆動信号を生成し、生成した駆動信号で液晶パネル２２を駆動することにより、液晶パネル２２上に再生対象画像を表示する。具体的には、液晶層に対して画像信号に応じた電圧を画素ごとに印加する。電圧が印加された液晶層は液晶分子の状態が変わり、当該液晶パネルの光の透過率が変化する。この透過率の変化によって液晶パネル２２に画像が表示される。
【００１９】
本実施の形態では、画像を液晶モニタ１０１ｃに表示するか、プロジェクタ装置１０２ｂを制御してスクリーンに投影するかを選択可能であり、使用者によってプロジェクタ装置１０２ｂを制御して画像をスクリーンに投影するよう指示された場合には、ＣＰＵ１０３ａは、使用者によって選択された画像を液晶駆動部２６に送って液晶パネル２２に表示するとともに、ＬＥＤ光源２１から光を照射するようにＬＥＤ駆動部２４を制御する。このときにＣＰＵ１０３ａは、ＬＥＤ駆動部２４を以下のように制御してスクリーンに投影される画像をフェードイン、フェードアウトさせて、視覚効果を加える。
【００２０】
（１）画像をフェードインする場合
画像をフェードインする場合には、ＣＰＵ１０３ａは、画像の表示開始時にはＬＥＤ光源２１の明るさを上述した「暗い状態」とし、その後徐々に「明るい状態」に変化するようにＬＥＤ駆動部２４を制御する。すなわち、ＣＰＵ１０３ａはＬＥＤ駆動部２４を制御して、上述したデューティ比を画像の表示開始時には２０％に設定し、その後一定の割合でデューティ比が５０％になるまで上昇させる。これによって、画像の表示開始時はスクリーンに投影される画像は暗く、その後徐々に明るく表示されるため、フェードインの視覚効果を加えることができる。
【００２１】
（２）画像をフェードアウトする場合
画像をフェードアウトする場合には、ＣＰＵ１０３ａは、画像が「明るい状態」で投影されているときに、徐々に「暗い状態」へ変化するようにＬＥＤ駆動部２４を制御する。すなわち、上述したデューティ比が５０％の状態で画像が投影されているときに、ＣＰＵ１０３ａはＬＥＤ駆動部２４を制御して、一定の割合でデューティ比が２０％になるまで減少させる。これによって、スクリーンに投影される画像は徐々に暗くなっていくことから、フェードアウトの視覚効果を加えることができる。
【００２２】
画像の投影時にフェードイン、およびフェードアウトを行うか否かはあらかじめ設定することができ、１枚の画像に対してフェードアウト、およびフェードインを「両方行う」、「いずれか一方のみを行う」、および「どちらも行わない」の中から選択できる。また、複数枚の画像を所定時間間隔で連続して表示することによりスライドショーを実行することもでき、スライドショー実行時に各画像をフェードイン、および／またはフェードアウトさせながら投影することもできる。
【００２３】
図４は、１枚の画像に対してフェードイン、およびフェードアウトを両方行う場合のＬＥＤ光源２１の明るさの時間変化を示した図である。図４に示すように、画像投影開始時点４ａでは、ＬＥＤ光源２１の明るさを「暗い状態」にしておき、その後、一定の割合で徐々に明るくしていき、時点４ｂで「明るい状態」にする。その後、あらかじめ設定された所定の時間「明るい状態」を維持した後、時点４ｃから一定の割合でＬＥＤ光源２１を暗くして、時点４ｄにおいて「暗い状態」にすると同時に画像の投影を終了する。
【００２４】
図５は、本実施の形態におけるプロジェクタ付き携帯電話１００の処理を示すフローチャートである。図５に示す処理は、プロジェクタ付き携帯電話１００の電源がオンされると起動するプログラムとして、ＣＰＵ１０３ａによって実行される。ステップＳ１０において、使用者によって再生対象の画像が選択され、プロジェクタ装置１０２ｂによる投影か液晶モニタ１０２ｃへの表示のいずれかの再生方法が選択されたか否かを判断する。再生対象画像の選択、および再生方法の選択がなされたと判断した場合には、ステップＳ２０へ進む。ステップＳ２０では、使用者によって選択された画像の再生が指示されたか否かを判断し、再生が指示されたと判断した場合には、ステップＳ２１へ進む。
【００２５】
ステップＳ２１では、使用者によって選択された再生方法がプロジェクタ装置１０２ｂによる投影であったか否かを判断する。使用者によって選択された再生方法がプロジェクタ装置１０２ｂによる投影ではないと判断した場合には、ステップＳ２３に進み、再生対象画像を液晶モニタ１０２ｃに表示した、後述するステップＳ１４０へ進む。これに対して、使用者によって選択された再生方法がプロジェクタ装置１０２ｂによる投影であると判断した場合には、ステップＳ２２へ進む。ステップＳ２２では、ＬＥＤ光源２１から光を照射するようにＬＥＤ駆動部２４を制御してプロジェクタを自動的にオンする。その後、ステップＳ３０へ進む。
【００２６】
ステップＳ３０では、フェードインが必要か否か、すなわち使用者によってあらかじめフェードインするように設定されていたか否かが判断される。使用者によってフェードインするように設定されていないと判断した場合には、ステップＳ４０へ進む。ステップＳ４０では、ＬＥＤ光源２１の明るさを「明るい状態」にするようにＬＥＤ駆動部２４を制御して、ステップＳ５０へ進む。ステップＳ５０では、液晶駆動部２５に再生対象の画像データを送信して画像をスクリーンに投影する。その後、後述するステップＳ９０へ進む。
【００２７】
これに対して使用者によってフェードインするように設定されていると判断した場合には、ステップＳ６０へ進む。ステップＳ６０では、ＬＥＤ光源２１の明るさを「暗い状態」にするようにＬＥＤ駆動部２４を制御する。その後、ステップＳ７０へ進み、液晶駆動部２５に再生対象の画像データを送信して画像をスクリーンに投影して、ステップＳ８０へ進む。ステップＳ８０では、ＬＥＤ光源２１の明るさが「明るい状態」になるまで、一定の割合でデューティ比を増加するようにＬＥＤ駆動部２４を制御して、ステップＳ９０へ進む。
【００２８】
ステップＳ９０では、「明るい状態」での投影時間があらかじめ設定された所定時間経過したか否かを判断する。「明るい状態」での投影時間があらかじめ設定された所定時間経過したと判断した場合には、ステップＳ１００へ進む。ステップＳ１００では、フェードアウトが必要か否か、すなわち使用者によってフェードアウトするように指示されていたか否かが判断される。使用者によってフェードアウトするように設定されていないと判断した場合には、後述するステップＳ１２０へ進む。
【００２９】
これに対して使用者によってフェードアウトするように設定されていると判断した場合には、ステップＳ１１０へ進む。ステップＳ１１０では、ＬＥＤ光源２１の明るさが「暗い状態」になるまで、一定の割合でデューティ比を減少するようにＬＥＤ駆動部２４を制御して、ステップＳ１２０へ進む。ステップＳ１２０では、液晶駆動部２５への再生対象の画像データを送信を停止して画像の投影を終了する。その後、ステップＳ１３０へ進む。ステップＳ１３０では、使用者によって複数枚の画像が再生対象画像として選択されていた場合に、次の再生対象画像が存在するか否かを判断する。次の再生対象画像があると判断した場合には、ステップＳ３０に戻って次の画像に対して上述した処理を実行する。
【００３０】
一方、次の再生対象画像がないと判断した場合には、ステップＳ１３１へ進む。ステップＳ１３１では、ＬＥＤ光源２１から照射する光を停止するようにＬＥＤ駆動部２４を制御してプロジェクタを自動的にオフする。その後、ステップＳ１４０へ進む。ステップＳ１４０では、使用者によってプロジェクタ付き携帯電話１００のモードが画像再生以外の他のモードに変更されたか否かを判断し、変更されないと判断した場合には、ステップＳ１０へ戻って上述した処理を繰り返す。これに対して、使用者によってプロジェクタ付き携帯電話１００のモードが画像再生以外の他のモードに変更されたと判断した場合には、処理を終了する。
【００３１】
以上説明した本実施の形態によれば、以下のような作用効果を得ることができる。
（１）画像投影時にＬＥＤ光源２１から照射する光の明るさを変更することで、画像をフェードイン、フェードアウトするようにした。これによって、画像をフェードイン、フェードアウトするために特別な画像処理を行う必要がなく、ＣＰＵにかかる負荷を低減することができる。
（２）ＬＥＤ駆動部２４は、ＰＷＭ駆動によってＬＥＤ光源２１を駆動し、デューティ比を連続的に変更することでＬＥＤ光源２１の発光輝度を変更することとした。これによって、フェードイン、およびフェードアウトにおける画像の明るさを連続的に変更でき、見る人に違和感を覚えさせること無く、視覚効果を付加することができる。
【００３２】
（３）画像の投影時にフェードイン、およびフェードアウトを行うか否かを、フェードアウト、およびフェードインを「両方行う」、「いずれか一方のみを行う」、および「どちらも行わない」の中から選択できるようにした。これによって、使用者は希望する視覚効果を加えて画像を投影することができる。
（４）複数枚の画像を所定時間間隔で連続して表示することができるようにし、各画像をフェードイン、および／またはフェードアウトさせながら投影することができるようにした。これによって、スライドショーを実行しながら投影することもでき、さらにスライドショー実行時の各画像にフェードイン、および／またはフェードアウトの視覚効果を加えることができる。
【００３３】
（５）使用者によって画像の再生が指示された場合には、ＬＥＤ光源２１から光を照射するようにＬＥＤ駆動部２４を制御してプロジェクタを自動的にオンするようにした。これによって、使用者が別途プロジェクタをオンする必要がなく、利便性が向上する。
（６）画像の再生が終了した場合には、ＬＥＤ光源２１から照射する光を停止するようにＬＥＤ駆動部２４を制御してプロジェクタを自動的にオフするようにした。これによって、使用者が別途プロジェクタをオフする必要がなく、利便性が向上する。
【００３４】
（７）画像の投影時にフェードイン、およびフェードアウトするために、ＬＥＤ光源２１から照射する光の量を抑制するようにした。これによって、プロジェクタ付き携帯電話１００のバッテリ消費量を抑制することができ、連続使用時間を長くすることができる。
【００３５】
―変形例―
なお、上述した実施の形態のプロジェクタ付き携帯電話は、以下のように変形することもできる。
（１）上述した実施の形態では、図２に示す構造のプロジェクタ付き携帯電話１００について説明したが、これに限定されず、さらにサブ液晶、ＧＰＳアンテナ、および赤外線通信部などを搭載したあらゆる携帯電話にも適用可能である。
【００３６】
（２）上述し実施の形態では、ＬＥＤ駆動部２４は、ＰＷＭ駆動によってＬＥＤ光源２１の駆動電力を制御する例について説明した。しかしこれに限定されず、ＬＥＤ駆動部２４はその他の方式によってＬＥＤ光源２１の駆動電力を制御してもよい。
【００３７】
（３）上述した実施の形態では、画像を投影するプロジェクタ装置１０２ｂを携帯電話に搭載したプロジェクタ付き携帯電話機において各種処理を実行する例について説明した。しかし、これに限定されず、プロジェクタ装置を搭載したＰＤＡなどのプロジェクタ付き携帯情報端末や、一般的な据え置き型のプロジェクタ装置にも適用可能である。
【００３８】
（４）上述した実施の形態では、プロジェクタ装置１０２ｂの光源として白色ＬＥＤを用いる例について説明したが、これに限定されず、例えば有機ＥＬなどのその他の固体発光素子を使用してもよい。
【００３９】
（５）上述した実施の形態では、図４に示すようにＬＥＤ光源２１の明るさを変化させて、再生対象画像をフェードイン、およびフェードアウトさせるようにした。しかし、これに限定されず、例えば図６に示すようにＬＥＤ光源２１の明るさを変化させてもよい。すなわち、１枚の画像の表示中に、周期的に画像の明るさを変化させ、「明るい状態」と「暗い状態」とを交互に変化させてもよい。
【００４０】
（６）上述した実施の形態では、「暗い状態」をデューティ比が２０％の状態とする例について説明したが、その他の比でもよく、あるいはＬＥＤ光源２１を完全に消灯した状態を「暗い状態」としてもよい。
【００４１】
なお、本発明の特徴的な機能を損なわない限り、本発明は、上述した実施の形態における構成に何ら限定されない。
【００４２】
特許請求の範囲の構成要素と実施の形態との対応関係について説明する。ＬＥＤ光源２１は照射手段に、液晶パネル２２、および液晶駆動部２５は画像形成手段に、ＬＥＤ駆動部２４、およびＣＰＵ１０３ａは変更手段に相当する。なお、この対応は一例であり、実施の形態の構成によって対応関係は異なるものである。
【図面の簡単な説明】
【００４３】
【図１】プロジェクタ付き携帯電話機の外観図である。
【図２】プロジェクタ付き携帯電話の一実施の形態を示すブロック図である。
【図３】デューティ比の具体例を示す図である。
【図４】１枚の画像に対してフェードイン、およびフェードアウトを両方行う場合のＬＥＤ光源２１の明るさの時間変化を示した図である。
【図５】本実施の形態におけるプロジェクタ付き携帯電話１００の処理を示すフローチャート図である。
【図６】変形例におけるＬＥＤ光源２１の明るさの時間変化を示した図である。
【符号の説明】
【００４４】
１００  プロジェクタ付き携帯電話
１０１  折りたたみヒンジ部
１０１ａ  開閉角度ＳＷ
１０２  表示部
１０２ａ  カメラ
１０２ｂ  プロジェクタ装置
１０２ｃ  液晶モニタ
１０２ｄ  レリーズボタン
１０２ｅ  スピーカー
１０３  操作部
１０３ａ  ＣＰＵ
１０３ｂ  時計
１０３ｃ  電源
１０３ｄ  通信制御部
１０３ｅ  アンテナ
１０３ｆ  入力装置
１０３ｇ  メモリ
１０３ｈ  メモリカード
１０３ｉ  ＴＶチューナー
１０３ｊ  マイク
１０３ｋ  外部Ｉ／Ｆ
１１  撮影レンズ
１２  ＣＣＤ
１３  レンズ駆動部
１４  カメラ制御装置
２１  ＬＥＤ光源
２２  液晶パネル
２３  投影レンズ
２４  ＬＥＤ駆動部
２５  液晶駆動部
２６  レンズ駆動部
２７  温度センサ
【図１】
2006154017.tif 000003
【図２】
2006154017.tif 000004
【図３】
2006154017.tif 000005
【図４】
2006154017.tif 000006
【図５】
2006154017.tif 000007
【図６】
2006154017.tif 000008